(57)【要約】【課題】土台と柱との固定について作業者の負担を抑えて建築可能な木造家屋を提供する。【解決手段】木造家屋が、基礎１７の上に配置される土台１６と、土台１６の上に立てられて配置される柱１０と、土台１６に柱１０を固定する第７金具２７（固定金具）と、を備え、第７金具２７（固定金具）が、柱１０の少なくとも１つの側面１１１に固定される柱側部分２７１と、この柱側部分２７１と一体成形されて、土台１６における少なくとも１つの横側面１６３に固定される土台側部分２７２と、を備えていることを特徴とする。【選択図】図１０
2020143460.tif 000002
【特許請求の範囲】
【請求項１】
基礎の上に横たえられて配置される四角柱状の土台と、
前記土台の上に立てられて配置される四角柱状の柱と、
前記土台に前記柱を固定する固定金具と、を備え、
前記固定金具が、
前記柱の４つの側面のうちの少なくとも１つの側面に固定される柱側部分と、
前記柱側部分と一体成形されて、前記土台の４つの側面において前記基礎に接する側面及び前記柱に接する側面を除く２つの横側面のうち、少なくとも１つの横側面に固定される土台側部分と、
を備えていることを特徴とする木造家屋。
【請求項２】
前記固定金具における前記柱側部分が、前記柱の前記１つの側面を含む３つの側面に重なるように被せられる、断面Ｕ字形状に形成された部位であることを特徴とする請求項１に記載の木造家屋。
【請求項３】
前記固定金具における前記土台側部分が、前記２つの横側面のうちの一方の横側面に重なるように平板状に形成された部位であることを特徴とする請求項１又は２に記載の木造家屋。
【請求項４】
前記柱は、前記１つの側面が前記土台の前記２つの横側面のうちの一方の横側面と面一となるように配置されるものであり、
前記固定金具における前記柱側部分が、前記１つの側面に重なる板壁部分を有しており、
前記固定金具における前記土台側部分が、前記柱側部分の前記板壁部分から、前記一方の横側面と重なるように延出した平板形状の部分であることを特徴とする請求項１〜３のうち何れか一項に記載の木造家屋。
【請求項５】
前記柱側部分における前記板壁部分及び前記土台側部分は、当該板壁部分及び当該土台側部分に対する平面視で、前記土台の長手方向について前記土台側部分が前記板壁部分よりも長い、逆Ｔ字形状に形成されていることを特徴とする請求項４に記載の木造家屋。
【請求項６】
前記柱を含み、外壁に沿って配置される構造に、前記外壁の下地材として前記構造を覆って延在するように固定される構造用合板と、
前記構造用合板と重なるように配置される石膏ボードと、
を更に備えたことを特徴とする請求項１〜５のうち何れか一項に記載の木造家屋。
【発明の詳細な説明】
【技術分野】
【０００１】
本発明は、木造家屋に関する。
【背景技術】
【０００２】
従来、木造家屋は、大地に設置されたコンクリート製の基礎の上に土台が横たえられて配置され、この土台の上に柱が立てられて配置された構造を有しているものが多い（例えば、特許文献１参照。）。土台に立てられた柱は、何等かの固定構造を用いて土台に固定されることとなっている。
【先行技術文献】
【特許文献】
【０００３】
【特許文献１】特開２００２−１６７８６６
【発明の概要】
【発明が解決しようとする課題】
【０００４】
ここで、土台と柱との固定には複雑な固定構造が用いられる場合があり、土台と柱との固定が作業者の負担となっているのが現状である。
【０００５】
従って、本発明は、上記のような課題に着目し、土台と柱との固定について作業者の負担を抑えて建築可能な木造家屋を提供することを目的としている。
【課題を解決するための手段】
【０００６】
上記課題を解決するために、本発明の木造家屋は、基礎の上に横たえられて配置される四角柱状の土台と、前記土台の上に立てられて配置される四角柱状の柱と、前記土台に前記柱を固定する固定金具と、を備え、前記固定金具が、前記柱の４つの側面のうちの少なくとも１つの側面に固定される柱側部分と、前記柱側部分と一体成形されて、前記土台の４つの側面において前記基礎に接する側面及び前記柱に接する側面を除く２つの横側面のうち、少なくとも１つの横側面に固定される土台側部分と、を備えていることを特徴とする。
【０００７】
本発明の木造家屋では、柱側部分と土台側部分とが一体成形された固定金具という一部品によって土台に柱が固定されるという簡便な固定構造が採用されている。このような固定構造の採用により、本発明の木造家屋は、土台と柱との固定について作業者の負担を抑えて建築することができる。
【０００８】
ここで、本発明の木造家屋において、前記固定金具における前記柱側部分が、前記柱の前記１つの側面を含む３つの側面に重なるように被せられる、断面Ｕ字形状に形成された部位であることが好適である。
【０００９】
この好適な構成によれば、土台に対して不安定な状態となりがちな柱が、固定金具における断面Ｕ字形状の柱側部分によって三方から支持されることから、土台と柱との固定について高い安定性を得ることができる。
【００１０】
また、本発明の木造家屋において、前記固定金具における前記土台側部分が、前記２つの横側面のうちの一方の横側面に重なるように平板状に形成された部位であることが好適である。
【００１１】
この好適な構成によれば、固定金具における土台側部分と土台との固定について作業者の負担が必要最小限に抑えられることから土台と柱との固定について作業者の負担を一層抑えて建築することができる。
【００１２】
また、本発明の木造家屋において、前記柱は、前記１つの側面が前記土台の前記２つの横側面のうちの一方の横側面と面一となるように配置されるものであり、前記固定金具における前記柱側部分が、前記１つの側面に重なる板壁部分を有しており、前記固定金具における前記土台側部分が、前記柱側部分の前記板壁部分から、前記一方の横側面と重なるように延出した平板形状の部分であることが好適である。
【００１３】
この好適な構成によれば、土台と柱との固定が、柱の１つの側面と、土台においてその１つの側面と面一となる横側面という、作業者にとってアクセスし易い面に対する固定によって行われるので、作業者の負担を一層抑えて建築することができる。
【００１４】
そして、この好適な構成において、前記柱側部分における前記板壁部分及び前記土台側部分は、当該板壁部分及び当該土台側部分に対する平面視で、前記土台の長手方向について前記土台側部分が前記板壁部分よりも長い、逆Ｔ字形状に形成されていることが更に好適である。
【００１５】
この好適な構成によれば、土台に対する固定金具の固定を担う土台側部分が、逆Ｔ字形状の横棒を構成する長尺形状に形成されているので固定強度を向上させることができる。そして、この長尺形状の土台側部分と一体の板壁部分が柱に固定されることから、土台と柱との固定について高い安定性を得ることもできる。
【００１６】
また、本発明の木造家屋において、前記柱を含み、外壁に沿って配置される構造に、前記外壁の下地材として前記構造を覆って延在するように固定される構造用合板と、前記構造用合板と重なるように配置される石膏ボードと、を更に備えたことが好適である。
【００１７】
この好適な構成によれば、耐火性に優れている石膏ボードが、強度の高い構造用合板と重なるように配置されていることから、外壁の強度と耐火性とを共に向上させることができる。
【発明の効果】
【００１８】
本発明によれば、土台と柱との固定について作業者の負担を抑えて建築可能な木造家屋を提供することができる。
【図面の簡単な説明】
【００１９】
【図１】本発明の一実施形態にかかる木造家屋を示す模式図である。
【図２】図１に示されている第１の梁材の選択元となる６種類の長梁と、第２の梁材の選択元となる６種類の短梁と、を表形式で示すリストである。
【図３】軽量Ｈ形鋼を示す模式的な斜視図である。
【図４】通柱と梁材とを組合せるために用いる第１金具を示す図である。
【図５】通柱と梁材とを組合せるために用いる第２金具を示す図である。
【図６】管柱の柱頭に梁材等の部材を横行配置して、互いに組合せるために用いる第３金具を示す図である。
【図７】互いにＴ字形をなすように２本の部材を組合せるために用いる第４金具を示す図である。
【図８】２本の部材を直線状に組合せるために用いる第５金具を示す図である。
【図９】横行配置された部材に比較的短い束柱等を立設して、互いに組合せるために用いる第６金具を示す図である。
【図１０】土台に対する通柱や管柱の設置について説明するための図である。
【図１１】図１に示されている木造家屋で採用される階層構造を示す模式図である。
【図１２】図１１に示されている外壁の構造について説明するための模式図である。
【発明を実施するための形態】
【００２０】
以下、本発明の一実施形態を説明する。
【００２１】
図１は、本発明の一実施形態にかかる木造家屋を示す模式図である。
【００２２】
図１に示されている木造家屋１は３階建ての家屋であり、図１には、１階の間取り図と、２階の梁伏図と、３階の小屋梁伏図と、が各々模式的に示されている。この木造家屋１は、梁材に軽量Ｈ形鋼が使われている。梁材には、後述する６種類の長梁の中から選択された第１の梁材１１と、６種類の短梁の中から選択された第２の梁材１２と、が用いられる。木造家屋１は、複数の第１の梁材１１及び第２の梁材１２が、通柱１３や管柱１４等といった木製の部材と組み合わされ、外壁の下地材に構造用合板１５が用いられて構成されている。通柱１３や管柱１４は、大地に設置されたコンクリート製の基礎の上に設けられた土台の上に立てられて配置される。この土台に対する通柱１３や管柱１４の設置については後で別図を用いて説明する。
【００２３】
図２は、図１に示されている第１の梁材の選択元となる６種類の長梁と、第２の梁材の選択元となる６種類の短梁と、を表形式で示すリストである。また、図３は、軽量Ｈ形鋼を示す模式的な斜視図である。
【００２４】
図２のリストＴ１に示されているように、６種類の長梁（Ｌ）及び６種類の短梁（ｓ）の双方とも、９１０ｍｍ〜１０００ｍｍの範囲における任意の長さを基準長としたとき、当該基準長の整数倍に応じた長さに形成されている。本実施形態では、この基準長が１０００ｍｍに設定されている。そして、本実施形態においては、１０００ｍｍから７０００ｍｍまでの用途に、６種類の長梁０．５Ｌ，１．０Ｌ，１．５Ｌ，２．０Ｌ，３．０Ｌ，３．５Ｌ、及び６種類の短梁０．５ｓ，１．０ｓ，１．５ｓ，２．０ｓ，３．０ｓ，３．５ｓが用意される。
【００２５】
本実施形態では、短梁０．５ｓ，・・・，３．５ｓが基準長の整数倍の長さに形成されている。即ち、基準長に対し、短梁０．５ｓが１倍、短梁１．０ｓが２倍、短梁１．５ｓが３倍、短梁２．０ｓが４倍、短梁３．０ｓが６倍、短梁３．５ｓが７倍、に形成されている。そして、長梁０．５Ｌ，・・・，３．５Ｌが短梁０．５ｓ，・・・，３．５ｓよりも５ｍｍ長く形成されている。
【００２６】
また、軽量Ｈ形鋼Ｈ１１は、図３に示されているように、２枚のフランジＨ１１１の間をウェブＨ１１２で繋いだ、断面Ｈ形の鋼材である。
【００２７】
本実施形態では、図２のリストＴ１に示されている６種類の長梁０．５Ｌ，・・・，３．５Ｌや６種類の短梁０．５ｓ，・・・，３．５ｓが、工場で予め軽量Ｈ形鋼で形成されて用意される。そして、図１に示されているような間取り等に応じて、６種類の長梁０．５Ｌ，・・・，３．５Ｌから第１の梁材１１が選択され、６種類の短梁０．５ｓ，・・・，３．５ｓから第２の梁材１２が選択される。そして、選択された第１の梁材１１、第２の梁材１２、及び木製の通柱１３や管柱１４等が組み合わされる。組合せは、長梁０．５Ｌ，・・・，３．５Ｌや短梁０．５ｓ，・・・，３．５ｓとともに予め用意される次のような金具を用いて行われる。以下に、幾つかの金具を例示して、上記部材の組合せ形態について説明する。
【００２８】
図４は、通柱と梁材とを組合せるために用いる第１金具を示す図である。
【００２９】
第１金具２１は、断面Ｕ字状のカバー部２１１と、カバー部２１１における三側壁それぞれから面外方向に張出した３つの張出し部２１２と、を備え、ボルト孔２１３が複数個所に設けられた部材である。カバー部２１１が通柱１３（図１）に被せられてボルト２１４で固定される。そして、３つの張出し部２１２それぞれに上述した第１の梁材１１や第２の梁材１２がボルトで固定される。
【００３０】
図５は、通柱と梁材とを組合せるために用いる第２金具を示す図である。
【００３１】
第２金具２２は、図４に示されている第１金具２１の変形例である。この第２金具２２は、断面Ｕ字状のカバー部２２１と、カバー部２２１における三側壁のうちの二側壁それぞれから面外方向に張出した２つの張出し部２２２と、を備え、ボルト孔２２３が複数個所に設けられた部材である。
【００３２】
図６は、管柱の柱頭に梁材等の部材を横行配置して、互いに組合せるために用いる第３金具を示す図である。
【００３３】
第３金具２３は、断面Ｕ字状で複数個所にボルト孔２３１が設けられた形状を有している。第３金具２３は、管柱１４（図１）の柱頭に被せられボルトで固定される。また、第３金具２３は、第１の梁材１１や第２の梁材１２のフランジにボルトで固定される。このようなボルト固定により、第１の梁材１１や第２の梁材１２が管柱１４の柱頭に固定される。
【００３４】
図７は、互いにＴ字形をなすように２本の部材を組合せるために用いる第４金具を示す図である。
【００３５】
第４金具２４は、第１平板部２４１と、この第１平板部２４１の中央から面外方向に張出した第２平板部２４２と、を備え、ボルト孔２４３が複数個所に設けられた部材である。第４金具２４の第１平板部２４１がＴ字形をなす一方の梁材のウェブにボルトで固定され、第２平板部２４２が他方の梁材のウェブにボルトで固定される。
【００３６】
図８は、２本の部材を直線状に組合せるために用いる第５金具を示す図である。
【００３７】
第５金具２５は、矩形状の金属板にボルト孔２５１が複数個所設けられた部材である。図１０の例では、第１の梁材１１や第２の梁材１２が一対、互いにつき合わされた状態で組合わされている。直線状をなす一方の梁材に第５金具２５における一端側のボルト孔２５１を介してボルトで固定され、他方の梁材に他端側のボルト孔２５１を介してボルトで固定される。
【００３８】
図９は、横行配置された部材に比較的短い束柱等を立設して、互いに組合せるために用いる第６金具を示す図である。
【００３９】
第６金具２６は、図６に示されている第３金具２３と同種の金具であり、断面Ｕ字状で複数個所にボルト孔２６１が設けられた形状を有している。第６金具２６は、束柱等の端部に被せられボルトで固定される。また、第６金具２６は、束柱等が立てられる部材にボルトで固定される。このようなボルト固定により、束柱等が立設される。
【００４０】
次に、土台に対する通柱１３や管柱１４の設置について説明する。
【００４１】
図１０は、土台に対する通柱や管柱の設置について説明するための図である。
【００４２】
この図１０に示されているように、本実施形態では、土台１６の上に通柱１３や管柱１４（以下、柱１０と呼ぶ）が設置され、両者の固定に第７金具２７（固定金具）が用いられる。
【００４３】
土台１６は、コンクリート製の基礎１７の上に横たえられて配置される四角柱状の部材である。柱１０は、この土台１６の上に立てられて配置される。このとき、本実施形態では、柱１０は、当該柱１０の４つの側面のうち、図１０の紙面手前側の１つの側面１１１が、土台１６における以下のような横側面１６３と面一となるように配置される。即ち、この横側面１６３は、土台１６の４つの側面において基礎１７に接する下側の側面１６２及び柱１０に接する上側の側面１６１を除く２つの横側面１６３，１６４のうち、図１０の紙面手前側に位置する一方の横側面１６３である。土台１６に対する柱１０の配置は、ここでは特定しないが、例えば柱１０の下端に形成されたホゾを土台１６の上側の側面１６１に形成されたホゾ穴に嵌入すること等によって行われる。
【００４４】
第７金具２７は、柱側部分２７１と、土台側部分２７２と、が一体成形された板金部材である。
【００４５】
柱側部分２７１は、柱１０の４つの側面のうちの少なくとも１つの側面、具体的には、上記の１つの側面１１１と、この１つの側面１１１に連なる２つの側面１１２と、の３つの側面の、土台１６の側の端部に固定される。柱側部分２７１は、この端部において３つの側面に重なるように被せられる、断面Ｕ字形状に形成された部位となっている。
【００４６】
土台側部分２７２は、柱側部分２７１と一体成形されて、上記の２つの横側面１６３，１６４のうちの一方で、柱１０における上記の１つの側面１１１と面一となる紙面手前側の１つの横側面１６３に固定される。土台側部分２７２は、この１つの横側面１６３に重なるように長方形平板状に形成された部位となっている。
【００４７】
ここで、本実施形態では、土台側部分２７２は、柱側部分２７１において柱１０の上記の１つの側面１１１に重なる、Ｕ字の底に相当する板壁部分２７１ａから、紙面手前側の１つの横側面１６３と重なるように延出した長方形平板状の部分である。そして、柱側部分２７１における板壁部分２７１ａ及び土台側部分２７２は、当該板壁部分２７１ａ及び当該土台側部分２７２に対する平面視で、土台１６の長手方向Ｄ１１について土台側部分２７２が板壁部分２７１ａよりも長い、逆Ｔ字形状に形成されている。
【００４８】
このような形状を有する第７金具２７の柱側部分２７１及び土台側部分２７２の双方の複数個所にボルト孔２７３が設けられている。土台側部分２７２がボルト孔２７３を介して土台１６にボルトで固定され、柱側部分２７１がボルト孔２７３を介して土台１６にボルトで固定される。このようにして柱１０は土台１６に立設固定される。
【００４９】
ここで、図１に示されている木造家屋１には、次のような階層構造が採用される。
【００５０】
図１１は、図１に示されている木造家屋で採用される階層構造を示す模式図である。尚、この図１１には、階層構造の説明を簡単なものとするために、図１に示されている木造家屋１で採用される階層構造そのものではなく、簡略化された概念上の階層構造が模式的な正面図と、その正面図におけるＶ１１−Ｖ１１線に沿った断面図とで示されている。
【００５１】
正面図に示されているように、３階建ての階層構造３は、基礎３０１の上に構築される各階の正面側の大部分がガラス壁３０２によるガラス張りとなっている。ガラス壁３０２の、正面から見て左右両側には縦格子３０３が配置されている。また、断面図に示されているように一階と二階の間、二階と三階の間、それぞれにベランダ３０４が構築されている。そして、各階における側面をなす外壁３０５が、以下に説明する構造用合板と石膏ボードを用いて構成されている。
【００５２】
図１２は、図１１に示されている外壁の構造について説明するための模式図である。
【００５３】
まず、外壁３０５は、図１に示されている木造家屋１の外壁近傍の次のような構造を覆うように設置される。図１２には、ここにいう構造の一例として、図１に示されている第１の梁材１１、第２の梁材１２、通柱１３、管柱１４、土台１６、及び筋交い１８等で構築された、外壁３０５の内側構造が挙げられている。本実施形態では、この外壁３０５の下地材として、上記の構造を覆って延在するように固定される構造用合板１５と、その構造用合板１５と重なるように配置される石膏ボード１９と、が用いられている。構造用合板１５は、複数枚数の単板を、繊維方向を交互に重ねて熱圧接着したものである。この構造用合板１５と重なるように石膏ボード１９が配置される。
【００５４】
以上に説明した実施形態の木造家屋１では、柱側部分２７１と土台側部分２７２とが一体成形された第７金具２７という一部品によって土台１６に柱１０が固定されるという簡便な固定構造が採用されている。このような固定構造の採用により、本実施形態の木造家屋１は、土台１６と柱１０との固定について作業者の負担を抑えて建築することができる。
【００５５】
また、本実施形態では、土台１６に対して不安定な状態となりがちな柱１０が、第７金具２７における断面Ｕ字形状の柱側部分２７１によって三方から支持されることから、土台１６と柱１０との固定について高い安定性を得ることもできる。
【００５６】
また、本実施形態では、第７金具２７における土台側部分２７２が、２つの横側面１６３，１６４のうちの一方の横側面１６３に重なるように平板状に形成された部位となっている。これにより、土台側部分２７２と土台１６との固定について作業者の負担が必要最小限に抑えられることから土台１６と柱１０との固定について作業者の負担を一層抑えて建築することができる。
【００５７】
また、本実施形態では、柱側部分２７１が、柱１０において土台１６の上記の一方の横側面１６３と面一となる１つの側面１１１に重なる板壁部分２７１ａを有している。そして、土台側部分２７２が、この板壁部分２７１ａから、上記の一方の横側面１６３と重なるように延出した長方形平板形状の部分となっている。これにより、土台１６と柱１０との固定が、柱１０の側面１１１と土台１６の横側面１６３という、互いに面一となって作業者にとってアクセスし易い面に対する固定によって行われるので、作業者の負担を一層抑えて建築することができる。
【００５８】
また、本実施形態では、柱側部分２７１における板壁部分及び土台側部分２７２が逆Ｔ字形状に形成されている。まず、土台１６に対する第７金具２７の固定を担う土台側部分２７２が、逆Ｔ字形状の横棒を構成する長尺形状に形成されているので固定強度を向上されることができる。そして、この長尺形状の土台側部分２７２と一体の板壁部分が柱１０に固定されることから、土台１６と柱１０との固定について高い安定性を得ることもできる。
【００５９】
また、本実施形態では、外壁３０５の下地材として構造用合板１５と、この構造用合板１５と重なるように配置される石膏ボード１９と、が設けられている。耐火性に優れている石膏ボード１９が、強度の高い構造用合板１５と重なるように配置されていることから、外壁３０５の強度と耐火性とを共に向上させることができる。
【００６０】
尚、以上に説明した実施形態は代表的な形態を示したに過ぎず、この実施形態に限定されるものではない。即ち、骨子を逸脱しない範囲で上述した種々変形して実施することができる。かかる変形によってもなお上述の木造家屋における本質的な構成を具備する限り、勿論、範疇に含まれるものである。
【００６１】
例えば、上述した実施形態では、本発明にいう木造家屋の一例として、３階建ての木造家屋１が例示されている。しかしながら、本発明にいう木造家屋はこれに限るものではなく、その階数については任意に設定し得る。
【００６２】
また、上述した実施形態では、本発明にいう木造家屋の一例として、図１に示されている間取りを有する木造家屋１が例示されている。しかしながら、本発明にいう木造家屋はこれに限るものではなく、間取りについても任意に設定し得る。
【００６３】
また、上述した実施形態では、長梁や短梁の各一例として、図２に長さが示されている長梁０．５Ｌ，・・・，３．５Ｌや短梁０．５ｓ，・・・，３．５ｓが例示されている。しかしながら、長梁や短梁はこれらに限るものではない。長梁や短梁は、一方が９１０ｍｍ〜１０００ｍｍの範囲内の基準長の整数倍に応じた長さを有し、長梁が短梁よりも長くなっていればよく、各梁の具体的な長さや、長梁と短梁の寸法差は任意に設定し得る。
【００６４】
また、上述した実施形態では、本発明にいう固定金具の一例として、断面Ｕ字形状の柱側部分２７１と、その断面Ｕ字形状の底辺に当る板壁部分２７１ａから延出した長方形平板状の土台側部分２７２と、を備える第７金具２７が例示されている。しかしながら、本発明にいう固定金具は、柱の少なくとも１つの側面に固定される柱側部分と、この柱側部分と一体成形されて土台における少なくとも１つの横側面に固定される土台側部分と、を備えていればよい。本発明にいう固定金具は、このような柱側部分と土台側部分とを備えていれば、各部分の具体的な形状を問うものではない。ただし、実施形態にいう構成の第７金具２７によれば、土台１６と柱１０との固定について作業者の負担を一層抑えられる点や、土台１６と柱１０との固定について高い安定性を得られる点等は上述した通りである。
【符号の説明】
【００６５】
１    木造家屋
３    階層構造
１０  柱
１１  第１の梁材
１２  第２の梁材
１３  通柱
１４  管柱
１５  構造用合板
１６  土台
１７，３０１  基礎
１８  筋交い
１９  石膏ボード
２１  第１金具
２２  第２金具
２３  第３金具
２４  第４金具
２５  第５金具
２６  第６金具
２７  第７金具（固定金具）
１１１，１１２，１６１，１６２  側面
１６３，１６４  横側面
２１１，２２１  カバー部
２１２，２２２  張出し部
２１３，２２３，２３１，２４３，２５１，２６１，２７３  ボルト孔
２４１  第１平板部
２４２  第２平板部
２７１  柱側部分
２７１ａ  板壁部分
２７２  土台側部分
０．５Ｌ，・・・，３．５Ｌ  長梁
０．５ｓ，・・・，３．５ｓ  短梁
Ｄ１１  長手方向
Ｈ１１  軽量Ｈ形鋼
Ｈ１１１  フランジ
Ｈ１１２  ウェブ
【図１】
2020143460.tif 000003
【図２】
2020143460.tif 000004
【図３】
2020143460.tif 000005
【図４】
2020143460.tif 000006
【図５】
2020143460.tif 000007
【図６】
2020143460.tif 000008
【図７】
2020143460.tif 000009
【図８】
2020143460.tif 000010
【図９】
2020143460.tif 000011
【図１０】
2020143460.tif 000012
【図１１】
2020143460.tif 000013
【図１２】
2020143460.tif 000014